(57)【要約】【課題】  配信用コンテンツのデータ量を最適化し、ユーザからのアクセスが売り上げ又は会員登録に結びつく割合を向上させることが可能なコンテンツ配信装置及びコンテンツ配信方法を提供する。【解決手段】  データ量調整部１６は、乱数生成部２０に配信用コンテンツの乱数の生成を指令し、乱数生成部２０で生成した乱数を配信用コンテンツのデータ量とし、ユーザ端末１００から要求されたコンテンツに対応する元データを元データ記憶部１８から取得し、元データのデータ量を調整して配信用コンテンツを生成し、ウェブサーバ１４に送信する。ウェブサーバ１４は、データ量が調整された配信用コンテンツをユーザ端末１００に配信する。アクセス解析部２４は、ユーザ端末１００によるウェブサイトへのアクセスを解析し、売買の成立又は会員登録に至ったか否か（Ｃ）、又は配信用コンテンツの配信後にアクセスを中止（ドロップ）したか否か（Ｄ）を示すＣ／Ｄ情報を取得し、計測データ記憶部２６に記憶させる。【選択図】      図１
2008123437.tif 000002
【特許請求の範囲】
【請求項１】
コンテンツの元データを記憶するコンテンツ記憶手段と、
ユーザ端末からのコンテンツの配信要求を受け付ける受付手段と、
前記配信要求ごとに前記ユーザ端末に配信するコンテンツのデータ量をランダムに生成するデータ量生成手段と、
前記ユーザ端末から配信要求されたコンテンツの元データを前記コンテンツ記憶手段から取得し、前記元データのデータ量が前記データ量生成手段により生成されたデータ量となるように、前記元データのデータ量を調整し配信用コンテンツを作成する配信用コンテンツ作成手段と、
前記配信用コンテンツをユーザ端末に配信する配信手段と、
前記配信用コンテンツを配信したユーザ端末のアクセスを解析し、コンバージョンに至ったか否かを示す情報を取得するアクセス解析手段と、
前記配信用コンテンツのデータ量と前記コンバージョンに至ったか否かを示す情報とを関連付けて記憶する記憶手段と、
を備えることを特徴とするコンテンツ配信装置。
【請求項２】
前記配信用コンテンツのデータ量及び前記配信用コンテンツを配信したときにコンバージョンに至ったか否かを示す情報に基づいて、前記コンバージョンに至った割合が最大になる最適データ量を算出する最適データ量算出手段を更に備え、
前記配信用コンテンツ作成手段は、前記ユーザ端末から配信要求されたコンテンツの元データを前記コンテンツ記憶手段から取得し、前記元データのデータ量が前記最適データ量となるように、前記元データのデータ量を調整して配信用コンテンツを作成することを特徴とする請求項１記載のコンテンツ配信装置。
【請求項３】
配信用コンテンツのデータ量と前記配信用コンテンツを配信したときにコンバージョンに至ったか否かを示す情報とを関連付けて記憶する記憶手段と、
前記配信用コンテンツのデータ量及び前記配信用コンテンツを配信したときにコンバージョンに至ったか否かを示す情報に基づいて、前記コンバージョンに至った割合が最大になる最適データ量を算出する最適データ量算出手段と、
コンテンツの元データを記憶するコンテンツ記憶手段と、
ユーザ端末からのコンテンツの配信要求を受け付ける受付手段と、
前記ユーザ端末から配信要求されたコンテンツの元データを前記コンテンツ記憶手段から取得し、前記元データのデータ量が前記最適データ量となるように、前記元データのデータ量を調整して配信用コンテンツを作成する配信用コンテンツ作成手段と、
前記配信用コンテンツをユーザ端末に配信する配信手段と、
を備えることを特徴とするコンテンツ配信装置。
【請求項４】
前記コンテンツ配信装置にかかっている負荷を監視する負荷監視手段を更に備え、
前記配信用コンテンツ作成手段は、前記コンテンツ配信装置にかかっている負荷に基づいて、前記配信用コンテンツのデータ量を調整することを特徴とする請求項２又は３記載のコンテンツ配信装置。
【請求項５】
前記コンテンツ配信装置と前記ユーザ端末との間を通信可能に接続するネットワークの状態を監視するネットワーク監視手段を更に備え、
前記配信用コンテンツ作成手段は、前記ネットワークの状態に基づいて、前記配信用コンテンツのデータ量を調整することを特徴とする請求項２から４のいずれか１項記載のコンテンツ配信装置。
【請求項６】
ユーザ側の処理能力情報を取得する処理能力情報取得手段を更に備え、
前記配信用コンテンツ作成手段は、前記処理能力情報に基づいて、前記配信用コンテンツのデータ量を調整することを特徴とする請求項２から５のいずれか１項記載のコンテンツ配信装置。
【請求項７】
前記配信用コンテンツ作成手段は、前記元データに含まれる画像データのサイズの拡大又は縮小、前記元データに含まれる動画データのフレームレートの調整、前記元データに含まれる動画データ又は音声データの再生時間の調整、前記元データに含まれる画像データ、音声データ及びテキストデータの圧縮率の調整及び前記元データに含まれるテキストデータの文字数の調整のうちの少なくとも１つの方法により、元データのデータ量を調整することを特徴とする請求項１から６のいずれか１項記載のコンテンツ配信装置。
【請求項８】
コンテンツの元データを記憶するコンテンツ記憶手段に記憶する工程と、
ユーザ端末からのコンテンツの配信要求を受け付ける受付工程と、
前記配信要求ごとに前記ユーザ端末に配信するコンテンツのデータ量をランダムに生成するデータ量生成工程と、
前記ユーザ端末から配信要求されたコンテンツの元データを前記コンテンツ記憶手段から取得し、前記元データのデータ量が前記データ量生成工程において生成されたデータ量となるように、前記元データのデータ量を調整し配信用コンテンツを作成する配信用コンテンツ作成工程と、
前記配信用コンテンツをユーザ端末に配信する配信工程と、
前記配信用コンテンツを配信したユーザ端末のアクセスを解析し、コンバージョンに至ったか否かを示す情報を取得するアクセス解析工程と、
前記配信用コンテンツのデータ量と前記コンバージョンに至ったか否かを示す情報とを関連付けて記憶する記憶工程と、
を備えることを特徴とするコンテンツ配信方法。
【請求項９】
前記配信用コンテンツのデータ量及び前記配信用コンテンツを配信したときにコンバージョンに至ったか否かを示す情報に基づいて、前記コンバージョンに至った割合が最大になる最適データ量を算出する最適データ量算出工程と、
前記ユーザ端末から配信要求されたコンテンツの元データを前記コンテンツ記憶工程から取得し、前記元データのデータ量が前記最適データ量となるように、前記元データのデータ量を調整して配信用コンテンツを作成する工程と、
を備えることを特徴とする請求項８記載のコンテンツ配信方法。
【請求項１０】
配信用コンテンツのデータ量と前記配信用コンテンツを配信したときにコンバージョンに至ったか否かを示す情報とを関連付けて記憶する記憶工程と、
前記配信用コンテンツのデータ量及び前記配信用コンテンツを配信したときにコンバージョンに至ったか否かを示す情報に基づいて、前記コンバージョンに至った割合が最大になる最適データ量を算出する最適データ量算出工程と、
コンテンツの元データを記憶するコンテンツ記憶手段に記憶する工程と、
ユーザ端末からのコンテンツの配信要求を受け付ける受付工程と、
前記ユーザ端末から配信要求されたコンテンツの元データを前記コンテンツ記憶手段から取得し、前記元データのデータ量が前記最適データ量となるように、前記元データのデータ量を調整して配信用コンテンツを作成する配信用コンテンツ作成工程と、
前記配信用コンテンツをユーザ端末に配信する配信工程と、
を備えることを特徴とするコンテンツ配信方法。
【請求項１１】
前記コンテンツ配信方法にかかっている負荷を監視する負荷監視工程と、
前記コンテンツ配信方法にかかっている負荷に基づいて、前記配信用コンテンツのデータ量を調整する工程と、
を備えることを特徴とする請求項９又は１０記載のコンテンツ配信方法。
【請求項１２】
前記コンテンツ配信方法と前記ユーザ端末との間を通信可能に接続するネットワークの状態を監視するネットワーク監視工程と、
前記ネットワークの状態に基づいて、前記配信用コンテンツのデータ量を調整する工程と、
を備えることを特徴とする請求項９から１１のいずれか１項記載のコンテンツ配信方法。
【請求項１３】
ユーザ側の処理能力情報を取得する処理能力情報取得工程と、
前記処理能力情報に基づいて、前記配信用コンテンツのデータ量を調整する工程と、
を更に備えることを特徴とする請求項９から１２のいずれか１項記載のコンテンツ配信方法。
【発明の詳細な説明】
【技術分野】
【０００１】
本発明はコンテンツ配信装置及びコンテンツ配信方法に係り、特にユーザからの要求に応じてコンテンツを配信する技術に関する。
【背景技術】
【０００２】
近年、インターネットを介した電子商取引（ＥＣ）用のウェブサイト（ＥＣサイト）や登録した会員のみが利用できる会員制のサイトが普及しており、このようなサイトにおいて、電子商取引の売り上げや登録会員数の増加を図るための技術が提案されている（例えば、特許文献１から４）。
【特許文献１】特開２０００−３１１１２４号公報
【特許文献２】特開２００１−１８８７３８号公報
【特許文献３】特開２００１−２２９１５４号公報
【特許文献４】特開２００３−６２２４号公報
【発明の開示】
【発明が解決しようとする課題】
【０００３】
近年、ＥＣサイトや会員制のサイトでは、多くのデータを含むコンテンツ（いわゆるリッチコンテンツ）が配信されるようになっている。しかしながら、配信されるコンテンツのデータ量が多くなると、データの伝送に要する時間が増加し、ユーザの端末側における待ち時間が増加する。このため、データの伝送が終了する前に、ユーザがコンテンツの読み込みを中断してしまう。上記のように、配信するコンテンツのリッチさと、ユーザからのアクセスが売り上げ又は会員登録に結びつく割合を示すコンバージョンレート（ＣＲ）とはトレードオフの関係にあり、ユーザの歓心を買うためにリッチなコンテンツを配信しても必ずしも売り上げや会員登録に結びつかないという問題があった。
【０００４】
本発明はこのような事情に鑑みてなされたもので、配信用コンテンツのデータ量を最適化し、ユーザからのアクセスが売り上げ又は会員登録に結びつく割合を向上させることが可能なコンテンツ配信装置及びコンテンツ配信方法を提供することを目的とする。
【課題を解決するための手段】
【０００５】
上記課題を解決するために、本願発明１に係るコンテンツ配信装置は、コンテンツの元データを記憶するコンテンツ記憶手段と、ユーザ端末からのコンテンツの配信要求を受け付ける受付手段と、前記配信要求ごとに前記ユーザ端末に配信するコンテンツのデータ量をランダムに生成するデータ量生成手段と、前記ユーザ端末から配信要求されたコンテンツの元データを前記コンテンツ記憶手段から取得し、前記元データのデータ量が前記データ量生成手段により生成されたデータ量となるように、前記元データのデータ量を調整し配信用コンテンツを作成する配信用コンテンツ作成手段と、前記配信用コンテンツをユーザ端末に配信する配信手段と、前記配信用コンテンツを配信したユーザ端末のアクセスを解析し、コンバージョンに至ったか否かを示す情報を取得するアクセス解析手段と、前記配信用コンテンツのデータ量と前記コンバージョンに至ったか否かを示す情報とを関連付けて記憶する記憶手段とを備えることを特徴とする。
【０００６】
本願発明１によれば、配信用コンテンツのデータ量ごとにコンバージョンに至ったか否かを示す情報を収集することができ、コンバージョンに至る割合が高いデータ量を取得することができる。
【０００７】
本願発明２は、本願発明１のコンテンツ配信装置において、前記配信用コンテンツのデータ量及び前記配信用コンテンツを配信したときにコンバージョンに至ったか否かを示す情報に基づいて、前記コンバージョンに至った割合が最大になる最適データ量を算出する最適データ量算出手段を更に備え、前記配信用コンテンツ作成手段は、前記ユーザ端末から配信要求されたコンテンツの元データを前記コンテンツ記憶手段から取得し、前記元データのデータ量が前記最適データ量となるように、前記元データのデータ量を調整して配信用コンテンツを作成することを特徴とする。
【０００８】
また、本願発明３に係るコンテンツ配信装置は、配信用コンテンツのデータ量と前記配信用コンテンツを配信したときにコンバージョンに至ったか否かを示す情報とを関連付けて記憶する記憶手段と、前記配信用コンテンツのデータ量及び前記配信用コンテンツを配信したときにコンバージョンに至ったか否かを示す情報に基づいて、前記コンバージョンに至った割合が最大になる最適データ量を算出する最適データ量算出手段と、コンテンツの元データを記憶するコンテンツ記憶手段と、ユーザ端末からのコンテンツの配信要求を受け付ける受付手段と、前記ユーザ端末から配信要求されたコンテンツの元データを前記コンテンツ記憶手段から取得し、前記元データのデータ量が前記最適データ量となるように、前記元データのデータ量を調整して配信用コンテンツを作成する配信用コンテンツ作成手段と、前記配信用コンテンツをユーザ端末に配信する配信手段とを備えることを特徴とする。
【０００９】
本願発明２及び３によれば、配信用コンテンツのデータ量ごとにコンバージョンに至ったか否かを示す情報を予め収集しておき、配信用コンテンツがコンバージョンに至る割合（コンバージョンレート）が最大のデータ量になるように調整して配信することができる。これにより、ユーザからのアクセスが売り上げ又は会員登録に結びつく割合を向上させることができる。
【００１０】
本願発明４は、本願発明２又は３のコンテンツ配信装置において、前記コンテンツ配信装置にかかっている負荷を監視する負荷監視手段を更に備え、前記配信用コンテンツ作成手段は、前記コンテンツ配信装置にかかっている負荷に基づいて、前記配信用コンテンツのデータ量を調整することを特徴とする。
【００１１】
本願発明４によれば、上記した効果に加え、コンテンツ配信装置にかかっている負荷に基づいて配信用コンテンツのデータ量を調整することができる。
【００１２】
本願発明５は、本願発明２から４のコンテンツ配信装置において、前記コンテンツ配信装置と前記ユーザ端末との間を通信可能に接続するネットワークの状態を監視するネットワーク監視手段を更に備え、前記配信用コンテンツ作成手段は、前記ネットワークの状態に基づいて、前記配信用コンテンツのデータ量を調整することを特徴とする。
【００１３】
本願発明５によれば、上記した効果に加え、ネットワークの状態に基づいて配信用コンテンツのデータ量を調整することができる。
【００１４】
本願発明６は、本願発明２から５のコンテンツ配信装置において、ユーザ側の処理能力情報を取得する処理能力情報取得手段を更に備え、前記配信用コンテンツ作成手段は、前記処理能力情報に基づいて、前記配信用コンテンツのデータ量を調整することを特徴とする。
【００１５】
本願発明６によれば、上記した効果に加え、ユーザ側の処理能力（例えば、回線速度、ユーザ端末の性能）に基づいて配信用コンテンツのデータ量を調整することができる。
【００１６】
本願発明７は、本願発明１から６のコンテンツ配信装置において、前記配信用コンテンツ作成手段は、前記元データに含まれる画像データのサイズの拡大又は縮小、前記元データに含まれる動画データのフレームレートの調整、前記元データに含まれる動画データ又は音声データの再生時間の調整、前記元データに含まれる画像データ、音声データ及びテキストデータの圧縮率の調整及び前記元データに含まれるテキストデータの文字数の調整のうちの少なくとも１つの方法により、元データのデータ量を調整することを特徴とする。
【００１７】
本願発明８に係るコンテンツ配信方法は、コンテンツの元データを記憶するコンテンツ記憶手段に記憶する工程と、ユーザ端末からのコンテンツの配信要求を受け付ける受付工程と、前記配信要求ごとに前記ユーザ端末に配信するコンテンツのデータ量をランダムに生成するデータ量生成工程と、前記ユーザ端末から配信要求されたコンテンツの元データを前記コンテンツ記憶手段から取得し、前記元データのデータ量が前記データ量生成工程において生成されたデータ量となるように、前記元データのデータ量を調整し配信用コンテンツを作成する配信用コンテンツ作成工程と、前記配信用コンテンツをユーザ端末に配信する配信工程と、前記配信用コンテンツを配信したユーザ端末のアクセスを解析し、コンバージョンに至ったか否かを示す情報を取得するアクセス解析工程と、前記配信用コンテンツのデータ量と前記コンバージョンに至ったか否かを示す情報とを関連付けて記憶する記憶工程とを備えることを特徴とする。
【００１８】
本願発明９は、本願発明８のコンテンツ配信方法において、前記配信用コンテンツのデータ量及び前記配信用コンテンツを配信したときにコンバージョンに至ったか否かを示す情報に基づいて、前記コンバージョンに至った割合が最大になる最適データ量を算出する最適データ量算出工程と、前記ユーザ端末から配信要求されたコンテンツの元データを前記コンテンツ記憶工程から取得し、前記元データのデータ量が前記最適データ量となるように、前記元データのデータ量を調整して配信用コンテンツを作成する工程とを備えることを特徴とする。
【００１９】
本願発明１０に係るコンテンツ配信方法は、配信用コンテンツのデータ量と前記配信用コンテンツを配信したときにコンバージョンに至ったか否かを示す情報とを関連付けて記憶する記憶工程と、前記配信用コンテンツのデータ量及び前記配信用コンテンツを配信したときにコンバージョンに至ったか否かを示す情報に基づいて、前記コンバージョンに至った割合が最大になる最適データ量を算出する最適データ量算出工程と、コンテンツの元データを記憶するコンテンツ記憶手段に記憶する工程と、ユーザ端末からのコンテンツの配信要求を受け付ける受付工程と、前記ユーザ端末から配信要求されたコンテンツの元データを前記コンテンツ記憶手段から取得し、前記元データのデータ量が前記最適データ量となるように、前記元データのデータ量を調整して配信用コンテンツを作成する配信用コンテンツ作成工程と、前記配信用コンテンツをユーザ端末に配信する配信工程とを備えることを特徴とする。
【００２０】
本願発明１１は、本願発明９又は１０のコンテンツ配信方法において、前記コンテンツ配信方法にかかっている負荷を監視する負荷監視工程と、前記コンテンツ配信方法にかかっている負荷に基づいて、前記配信用コンテンツのデータ量を調整する工程とを備えることを特徴とする。
【００２１】
本願発明１２は、本願発明９から１１のコンテンツ配信方法において、前記コンテンツ配信方法と前記ユーザ端末との間を通信可能に接続するネットワークの状態を監視するネットワーク監視工程と、前記ネットワークの状態に基づいて、前記配信用コンテンツのデータ量を調整する工程とを備えることを特徴とする。
【００２２】
本願発明１３は、本願発明９から１２のコンテンツ配信方法において、ユーザ側の処理能力情報を取得する処理能力情報取得工程と、前記処理能力情報に基づいて、前記配信用コンテンツのデータ量を調整する工程とを更に備えることを特徴とする。
【発明の効果】
【００２３】
本発明によれば、配信用コンテンツのデータ量ごとにコンバージョンに至ったか否かを示す情報を予め収集しておき、配信用コンテンツがコンバージョンに至る割合（コンバージョンレート）が最大のデータ量になるように調整して配信することができる。これにより、ユーザからのアクセスが売り上げ又は会員登録に結びつく割合を向上させることができる。
【発明を実施するための最良の形態】
【００２４】
以下、添付図面に従って本発明に係るコンテンツ配信装置及びコンテンツ配信方法の好ましい実施の形態について説明する。
【００２５】
［第１の実施形態］
図１は、本発明の第１の実施形態に係るコンテンツ配信装置の主要構成を示すブロック図である。図１に示すように、本実施形態のコンテンツ配信装置１０は、パーソナルコンピュータや携帯電話機等において閲覧可能なウェブページを配信し、ユーザ端末１００からのコンテンツ（例えば、ＥＣサイトにおける商品の購入ページ又は会員制のサイトにおける会員登録用のページ）の配信要求に応じて配信用コンテンツを配信するための装置であり、制御装置１２、ウェブサーバ１４、データ量調整部１６、元データ記憶部１８、乱数生成部２０、上限値・下限値保持部２２、アクセス解析部２４及び計測データ記憶部２６を備えている。
【００２６】
制御装置１２は、本実施形態に係るコンテンツ配信装置１０の各ブロックを制御する統括制御部である。
【００２７】
元データ記憶部１８には、画像データ（静止画又は動画）、音声データ、テキストデータの組み合わせにより構成されるコンテンツの元データが記憶されている。
【００２８】
上限値・下限値保持部２２には、予め設定された配信用コンテンツのデータ量の上限値及び下限値が保持される。
【００２９】
ウェブサーバ１４は、インターネットＮＷを介してウェブページを配信し、このウェブページにアクセスしたユーザ端末１００からのコンテンツの配信要求を受け付けてデータ量調整部１６に伝達する。
【００３０】
データ量調整部１６は、ユーザ端末１００から要求されたコンテンツがデータ量の調整対象か否かを判断する。要求されたコンテンツがデータ量の調整対象ではない場合、データ量調整部１６は、要求されたコンテンツに対応する元データを元データ記憶部１８から取得してウェブサーバ１４に送信する。ウェブサーバ１４は、この元データを配信用コンテンツとしてユーザ端末１００に配信する。
【００３１】
一方、要求されたコンテンツがデータ量の調整対象の場合、データ量調整部１６は、乱数生成部２０に配信用コンテンツの乱数の生成を指令する。乱数生成部２０は、上限値・下限値保持部２２に保持された上限値及び下限値の範囲内の乱数を生成してデータ量調整部１６に送信する。なお、乱数を生成する時の確率分布は一様であってもよいし、所定の確率分布にしたが乱数を生成するようにしてもよい。データ量調整部１６は、乱数生成部２０から送信された乱数を配信用コンテンツのデータ量として採用する。そして、データ量調整部１６は、要求されたコンテンツに対応する元データを元データ記憶部１８から取得し、採用したデータ量になるように元データのデータ量を調整して配信用コンテンツを生成し、ウェブサーバ１４に送信する。ウェブサーバ１４は、データ量が調整された配信用コンテンツをユーザ端末１００に配信する。データ量調整部１６におけるデータ量の調整方法としては、例えば、元データに含まれる画像データのサイズの拡大又は縮小、動画データのフレームレートの調整、動画データ又は音声データの再生時間の調整、画像データ、音声データ及びテキストデータの圧縮率の調整及びテキストデータの文字数の調整の方法がある。
【００３２】
アクセス解析部２４は、ユーザ端末１００によるウェブサイトへのアクセスを解析し、売買の成立又は会員登録（以下、コンバージョンという）に至ったか否か（Ｃ）、又は配信用コンテンツの配信後にアクセスを中止（ドロップ）したか否か（Ｄ）を示すＣ／Ｄ情報を取得する。
【００３３】
計測データ記憶部２６は、配信用コンテンツのデータ量とＣ／Ｄ情報とを関連付けて記憶する。以下の説明では、配信用コンテンツのデータ量とＣ／Ｄ情報との関係を示すデータを計測データという。
【００３４】
次に、本発明の第１の実施形態に係るコンテンツ配信装置におけるアクセス解析処理について、図２のフローチャートを参照して説明する。まず、ウェブサーバ１４によりユーザ端末１００からのデータ量の調整対象のコンテンツの配信要求が受け付けられると（ステップＳ１０）、コンテンツの配信要求がウェブサーバ１４からデータ量調整部１６に伝達される。
【００３５】
次に、データ量調整部１６によりユーザ端末１００から要求されたコンテンツがデータ量の調整対象か否かが判断される（ステップＳ１２）。要求されたコンテンツがデータ量の調整対象ではない場合（ステップＳ１２のＮｏ）、要求されたコンテンツに対応する元データが元データ記憶部１８から取得され、この元データがウェブサーバ１４により配信用コンテンツとしてユーザ端末１００に配信される（ステップＳ１４）。
【００３６】
一方、要求されたコンテンツがデータ量の調整対象の場合（ステップＳ１２のＹｅｓ）、乱数生成部２０において生成された乱数に基づいて配信用コンテンツのデータ量が決定される（ステップＳ１６）。そして、配信用コンテンツの元データが読み出されてデータ量が調整され、配信用コンテンツが作成されて（ステップＳ１８）、ユーザ端末１００に配信される（ステップＳ２０）。
【００３７】
次に、配信用コンテンツの配信先のユーザ端末１００によるアクセスが解析され、Ｃ／Ｄ情報が取得される（ステップＳ２２）。そして、配信用コンテンツのデータ量とＣ／Ｄ情報が計測データ記憶部２６に記憶される（ステップＳ２４）。これにより、配信用コンテンツのデータ量とＣ／Ｄ情報の関係を示す計測データを取得することができる。
【００３８】
次に、配信用コンテンツのデータ量とＣ／Ｄ情報の関係に基づいて配信用コンテンツのデータ量を最適化して配信する処理について説明する。図３は、コンテンツ配信装置１０において配信用コンテンツのデータ量を最適化して配信するための構成を示すブロック図である。
【００３９】
図３に示すように、本実施形態のコンテンツ配信装置１０は、データ量決定部２８を備えている。データ量決定部２８は、ユーザ端末１００からアクセスが売り上げ又は会員登録に結びつく割合を示すコンバージョンレート（ＣＲ）と、配信用コンテンツのデータ量との関係を演算する。コンバージョンレートは、例えば、ユーザ端末１００からＥＣサイトへのアクセスの総数と売買が成立した数の比、又はユーザ端末１００から会員制サイトの会員登録ページへのアクセスの総数と新規登録会員数の比で表される。
【００４０】
図４は、配信用コンテンツのデータ量とコンバージョンレートとの関係を示すグラフである。データ量決定部２８は、図４においてコンバージョンレートが最大となるデータ量を配信用コンテンツの最適データ量とする。
【００４１】
図５は、配信用コンテンツのデータ量とＣ／Ｄ情報の関係に基づいて配信用コンテンツのデータ量を最適化して配信する処理の流れを示すフローチャートである。まず、ウェブサーバ１４によりユーザ端末１００からのデータ量の調整対象のコンテンツの配信要求が受け付けられると（ステップＳ３０）、コンテンツの配信要求がウェブサーバ１４からデータ量調整部１６に伝達される。
【００４２】
次に、データ量調整部１６によりユーザ端末１００から要求されたコンテンツがデータ量の調整対象か否かが判断される（ステップＳ３２）。要求されたコンテンツがデータ量の調整対象ではない場合（ステップＳ３２のＮｏ）、要求されたコンテンツに対応する元データが元データ記憶部１８から取得され、この元データがウェブサーバ１４により配信用コンテンツとしてユーザ端末１００に配信される（ステップＳ３４）。
【００４３】
一方、要求されたコンテンツがデータ量の調整対象の場合（ステップＳ３２のＹｅｓ）、計測データ記憶部２６に記憶された計測データに基づいて配信用コンテンツのデータ量が決定される（ステップＳ３６）。そして、配信用コンテンツの元データが読み出されてデータ量が最適データ量になるように調整されて配信用コンテンツが作成され（ステップＳ３８）、ユーザ端末１００に配信される（ステップＳ４０）。
【００４４】
本実施形態によれば、配信用コンテンツのデータ量とＣ／Ｄ情報との関係を示す計測データの収集を適当な期間を設けて予め実行しておき、この計測データに基づいてコンバージョンレートが最大のデータ量になるように配信用コンテンツのデータ量を調整して配信することができる。これにより、ユーザからのアクセスが売り上げ又は会員登録に結びつく割合（ＣＲ）を向上させることができる。また、計測データの収集を適当な間隔を空けて行って計測データを更新することにより、ＣＲをより向上させることができる。
【００４５】
なお、本実施形態では、１つのコンテンツ配信装置１０において、配信用コンテンツのデータ量とＣ／Ｄ情報との関係を示す計測データの収集と、上記計測データに基づく配信用コンテンツのデータ量の調整を行うようにしたが、例えば、計測データ記憶部２６の計測データを複数のコンテンツ配信装置で共有して、上記計測データに基づく配信用コンテンツのデータ量の調整を行うようにしてもよい。
【００４６】
［第２の実施形態］
次に、本発明の第２の実施形態について説明する。図６は、本発明の第２の実施形態に係るコンテンツ配信装置１０の主要構成を示すブロック図である。なお、計測データの収集を行うための構成は、第１の実施形態と同様である。
【００４７】
図６に示すように、本実施形態のコンテンツ配信装置１０は、サーバ負荷監視部３０を更に備えている。サーバ負荷監視部３０は、例えば、外部からのアクセス数、ＣＰＵ使用率及びページングファイルの使用量を監視して、ウェブサーバ１４にかかる負荷を測定する。データ量決定部２８は、計測データから求められた最適データ量とウェブサーバ１４の負荷とに基づいて配信用コンテンツのデータ量を決定する。具体的には、サーバ負荷監視部３０は、例えば、計測データを収集した時のウェブサーバ１４の負荷の平均値を１とした時の現時点の負荷を示す値Ｌをデータ量決定部２８に出力し、データ量決定部２８は、サーバ負荷監視部３０から入力された現時点の負荷を示す値Ｌで最適データ量を除した値を配信用コンテンツのデータ量とする。即ち、ウェブサーバ１４にかかる負荷が計測データの収集時の平均値より大きい場合には（Ｌ＞１）、配信用コンテンツの配信に時間がかかるため、配信用コンテンツのデータ量を最適データ量より小さくし、ウェブサーバ１４にかかる負荷が計測データの収集時の平均値より小さい場合には（Ｌ＜１）、配信用コンテンツの配信に要する時間が減るため、配信用コンテンツのデータ量を最適データ量より大きくする。これにより、配信用コンテンツのデータ量を最適化することができる。
【００４８】
図７は、本実施形態に係るコンテンツの配信方法を示すフローチャートである。まず、ウェブサーバ１４によりユーザ端末１００からのデータ量の調整対象のコンテンツの配信要求が受け付けられると（ステップＳ５０）、コンテンツの配信要求がウェブサーバ１４からデータ量調整部１６に伝達される。
【００４９】
次に、データ量調整部１６によりユーザ端末１００から要求されたコンテンツがデータ量の調整対象か否かが判断される（ステップＳ５２）。要求されたコンテンツがデータ量の調整対象ではない場合（ステップＳ５２のＮｏ）、要求されたコンテンツに対応する元データが元データ記憶部１８から取得され、この元データがウェブサーバ１４により配信用コンテンツとしてユーザ端末１００に配信される（ステップＳ５４）。
【００５０】
一方、要求されたコンテンツがデータ量の調整対象の場合（ステップＳ５２のＹｅｓ）、ウェブサーバ１４の現在の負荷の情報が取得される（ステップＳ５６）。そして、計測データ記憶部２６に記憶された計測データと、ウェブサーバ１４にかかる現在の負荷に基づいて配信用コンテンツのデータ量が決定される（ステップＳ５８）。そして、配信用コンテンツの元データが読み出されてデータ量が調整されて配信用コンテンツが作成され（ステップＳ６０）、ユーザ端末１００に配信される（ステップＳ６２）。
【００５１】
本実施形態によれば、予め収集された配信用コンテンツのデータ量とＣ／Ｄ情報との関係を示す計測データから求められた最適データ量を、現時点でウェブサーバ１４にかかっている負荷に基づいて調整することにより、配信用コンテンツのデータ量を最適化することができる。これにより、ユーザからのアクセスが売り上げ又は会員登録に結びつく割合を向上させることができる。
【００５２】
［第３の実施形態］
次に、本発明の第３の実施形態について説明する。図８は、本発明の第３の実施形態に係るコンテンツ配信装置１０の主要構成を示すブロック図である。なお、計測データの収集を行うための構成は、第１の実施形態と同様である。
【００５３】
図８に示すように、本実施形態のコンテンツ配信装置１０は、ネットワーク監視部３２を更に備えている。ネットワーク監視部３２は、インターネットＮＷの混雑具合を監視する。インターネットＮＷの混雑具合を測定する方法としては、例えば、ｐｉｎｇコマンド、ｔｔｃｐコマンド又はｆｔｐを利用する方法がある。ｐｉｎｇコマンドを利用する場合には、ユーザ端末１００のＩＰアドレスに対してｐｉｎｇコマンドを実行して応答時間を測定し、この応答時間からインターネットＮＷの遅延時間を測定する。データ量決定部２８は、計測データから求められた最適データ量とインターネットＮＷの混雑具合とに基づいて配信用コンテンツのデータ量を決定する。具体的には、ネットワーク監視部３２は、例えば、ｐｉｎｇコマンドに対する応答時間から現時点におけるインターネットＮＷの遅延時間を測定し、計測データを収集した時のインターネットＮＷの遅延時間の平均値を１とした時の現時点の遅延時間を示す値Ｎ＝（現時点におけるインターネットＮＷの遅延時間）／（計測データを収集した時のインターネットＮＷの遅延時間の平均値）を算出してデータ量決定部２８に出力する。データ量決定部２８は、値Ｎで最適データ量を除した値を配信用コンテンツのデータ量とする。即ち、インターネットＮＷが現時点で計測データの収集時より混雑している場合には（Ｎ＞１）、配信用コンテンツの配信に時間がかかるため、配信用コンテンツのデータ量を最適データ量より小さくし、インターネットＮＷが現時点で計測データの収集時より空いている場合には（Ｎ＜１）、配信用コンテンツの配信に要する時間が少なくなるため、配信用コンテンツのデータ量を最適データ量より大きくする。これにより、配信用コンテンツのデータ量を最適化することができる。
【００５４】
図９は、本実施形態に係るコンテンツの配信方法を示すフローチャートである。まず、ウェブサーバ１４によりユーザ端末１００からのデータ量の調整対象のコンテンツの配信要求が受け付けられると（ステップＳ７０）、コンテンツの配信要求がウェブサーバ１４からデータ量調整部１６に伝達される。
【００５５】
次に、データ量調整部１６によりユーザ端末１００から要求されたコンテンツがデータ量の調整対象か否かが判断される（ステップＳ７２）。要求されたコンテンツがデータ量の調整対象ではない場合（ステップＳ７２のＮｏ）、要求されたコンテンツに対応する元データが元データ記憶部１８から取得され、この元データがウェブサーバ１４により配信用コンテンツとしてユーザ端末１００に配信される（ステップＳ７４）。
【００５６】
一方、要求されたコンテンツがデータ量の調整対象の場合（ステップＳ７２のＹｅｓ）、インターネットＮＷの混雑具合が取得される（ステップＳ７６）。そして、計測データ記憶部２６に記憶された計測データと、現時点におけるインターネットＮＷの混雑具合に基づいて配信用コンテンツのデータ量が決定される（ステップＳ７８）。そして、配信用コンテンツの元データが読み出されてデータ量が調整されて配信用コンテンツが作成され（ステップＳ８０）、ユーザ端末１００に配信される（ステップＳ８２）。
【００５７】
本実施形態によれば、予め収集された配信用コンテンツのデータ量とＣ／Ｄ情報との関係を示す計測データから求められた最適データ量を、現時点におけるインターネットＮＷの混雑具合に基づいて調整することにより、配信用コンテンツのデータ量を最適化して配信することができる。これにより、ユーザからのアクセスが売り上げ又は会員登録に結びつく割合を向上させることができる。
【００５８】
［第４の実施形態］
次に、本発明の第４の実施形態について説明する。図１０は、本発明の第４の実施形態に係るコンテンツ配信装置１０の主要構成を示すブロック図である。なお、計測データの収集を行うための構成は、第１の実施形態と同様である。
【００５９】
図１０に示すように、本実施形態のコンテンツ配信装置１０は、ユーザ登録部３４及びユーザ属性記憶部３６を更に備えている。ユーザ登録部３４は、ユーザ端末１００のインターネット接続環境（例えば、回線速度）及び端末性能等のユーザ側の処理能力情報（ユーザ属性）の登録を受け付ける。ユーザ属性記憶部３６は、ユーザ端末１００により登録されたユーザ属性を記憶する。データ量決定部２８は、最適データ量とユーザ属性とに基づいて配信用コンテンツのデータ量を調整する。具体的には、データ量決定部２８は、ユーザ属性記憶部３６に記憶された平均的なユーザの処理能力情報を求め、平均的なユーザよりも処理能力が低いユーザに対しては、配信用コンテンツのデータ量を最適データ量よりも小さくし、平均的なユーザよりも処理能力が高いユーザに対しては、配信用コンテンツのデータ量を最適データ量よりも大きくする。
【００６０】
図１１は、本実施形態に係るコンテンツの配信方法を示すフローチャートである。まず、ウェブサーバ１４によりユーザ端末１００からのデータ量の調整対象のコンテンツの配信要求が受け付けられると（ステップＳ１００）、コンテンツの配信要求がウェブサーバ１４からデータ量調整部１６に伝達される。
【００６１】
次に、データ量調整部１６によりユーザ端末１００から要求されたコンテンツがデータ量の調整対象か否かが判断される（ステップＳ１０２）。要求されたコンテンツがデータ量の調整対象ではない場合（ステップＳ１０２のＮｏ）、要求されたコンテンツに対応する元データが元データ記憶部１８から取得され、この元データがウェブサーバ１４により配信用コンテンツとしてユーザ端末１００に配信される（ステップＳ１０４）。
【００６２】
一方、要求されたコンテンツがデータ量の調整対象の場合（ステップＳ１０２のＹｅｓ）、次いでユーザ端末１００のユーザ属性が登録済みであるかどうか判断される（ステップＳ１０６）。ユーザ属性が登録されていない場合には（ステップＳ１０６のＮｏ）、計測データ記憶部２６に記憶された計測データに基づいて配信用コンテンツのデータ量が決定される（ステップＳ１０８）。そして、配信用コンテンツの元データが読み出されてデータ量が最適データ量になるように調整されて配信用コンテンツが作成され（ステップＳ１１４）、ユーザ端末１００に配信される（ステップＳ１１６）。
【００６３】
一方、ユーザ属性が登録されている場合には（ステップＳ１０６のＹｅｓ）、ユーザ属性記憶部３６からコンテンツの配信要求を送信したユーザ端末１００のユーザ属性が読み出される（ステップＳ１１０）。そして、計測データ記憶部２６に記憶された計測データと、ユーザ属性とに基づいて配信用コンテンツのデータ量が決定される（ステップＳ１１２）。そして、配信用コンテンツの元データが読み出されてデータ量が調整されて配信用コンテンツが作成され（ステップＳ１１４）、ユーザ端末１００に配信される（ステップＳ１１６）。
【００６４】
本実施形態によれば、予め収集された配信用コンテンツのデータ量とＣ／Ｄ情報との関係を示す計測データから求められた最適データ量を、ユーザのインターネット接続環境や端末性能に応じて調整することにより、配信用コンテンツのデータ量を最適化して配信することができる。これにより、ユーザからのアクセスが売り上げ又は会員登録に結びつく割合を向上させることができる。
【００６５】
なお、本実施形態では、ユーザ属性を予め登録するのではなく、例えば、ユーザのインターネット接続環境を自動的に検出するようにしてもよい。
【図面の簡単な説明】
【００６６】
【図１】本発明の第１の実施形態に係るコンテンツ配信装置の主要構成を示すブロック図
【図２】本発明の第１の実施形態に係るコンテンツ配信装置におけるアクセス解析処理の流れを示すフローチャート
【図３】コンテンツ配信装置１０において配信用コンテンツのデータ量を最適化して配信するための構成を示すブロック図
【図４】配信用コンテンツのデータ量とコンバージョンレートとの関係を示すグラフ
【図５】配信用コンテンツのデータ量とＣ／Ｄ情報の関係に基づいて配信用コンテンツのデータ量を最適化して配信する処理の流れを示すフローチャート
【図６】本発明の第２の実施形態に係るコンテンツ配信装置１０の主要構成を示すブロック図
【図７】本発明の第２の実施形態に係るコンテンツの配信方法を示すフローチャート
【図８】本発明の第３の実施形態に係るコンテンツ配信装置１０の主要構成を示すブロック図
【図９】本発明の第３の実施形態に係るコンテンツの配信方法を示すフローチャート
【図１０】本発明の第４の実施形態に係るコンテンツ配信装置１０の主要構成を示すブロック図
【図１１】本発明の第４の実施形態に係るコンテンツの配信方法を示すフローチャート
【符号の説明】
【００６７】
１０…コンテンツ配信装置、１２…制御装置、１４…ウェブサーバ、１６…データ量調整部、１８…元データ記憶部、２０…乱数生成部、２２…上限値・下限値保持部、２４…アクセス解析部、２６…計測データ記憶部、２８…データ量決定部、３０…サーバ負荷監視部、３２…ネットワーク監視部、３４…ユーザ登録部、３６…ユーザ属性記憶部
【図１】
2008123437.tif 000003
【図２】
2008123437.tif 000004
【図３】
2008123437.tif 000005
【図４】
2008123437.tif 000006
【図５】
2008123437.tif 000007
【図６】
2008123437.tif 000008
【図７】
2008123437.tif 000009
【図８】
2008123437.tif 000010
【図９】
2008123437.tif 000011
【図１０】
2008123437.tif 000012
【図１１】
2008123437.tif 000013